(57)【要約】【課題】曲率を有する基材に被剥離層を貼りつけた半導体装置の作製方法を提供することを課題とする。特に、曲率を有するディスプレイ、具体的には曲率を有する基材に貼りつけられたＯＬＥＤを有する発光装置の作製方法の提供を課題とする。【解決手段】元々曲率及び弾性を有する支持体に外力を加え、これを基板上に作成された被剥離層に接着する。この後基板を剥離すると、支持体が復元力によって最初の形状に戻るとともに被剥離層も支持体の形状に沿って湾曲する。最後に、元々曲率を有する転写体を被剥離層に接着すれば、所望の曲率を有した装置が完成する。【選択図】図１
2020149982.tif 000002
【特許請求の範囲】
【請求項１】
第１の基板と、
前記第１の基板上の第１の接着層と、
前記第１の接着層上の発光素子を含む素子層と、
前記素子層上の第２の接着層と、
前記第２の接着層上の第２の基板と、
を有する発光装置であって、
曲率を有する第１の形状から、曲率半径が大きくなる方向に外力を加えて平らな第２の形状にした後に、前記外力を取り除くと前記第１の形状に戻ることができる性質を有する、発光装置。
【請求項２】
請求項１において、
前記素子層は、前記曲率を有していない方向にチャネル長方向がそろった複数のトランジスタを有する、発光装置。
【発明の詳細な説明】
【技術分野】
【０００１】
本発明は、剥離した被剥離層を基材に貼りつけて転写させた薄膜トランジスタ（以下、
ＴＦＴという）で構成された回路を有する半導体装置の作製方法に関し、特に曲率を有す
る支持体にＴＦＴで構成された回路を転写する方法に関する。
【背景技術】
【０００２】
近年、絶縁表面を有する基板上に形成された半導体薄膜（厚さ数〜数百ｎｍ程度）を用
いてＴＦＴを構成する技術が注目されている。ＴＦＴはＩＣや電気光学装置のような電子
デバイスに広く応用され、特に画像表示装置のスイッチング素子として開発が急がれてい
る。
【０００３】
また、自動車や航空機などの乗物にさまざまな表示装置、例えば、ナビゲーションの表
示装置やオーディオの操作画面表示装置や計器の表示装置を搭載する試みがなされている
。
【０００４】
このような画像表示装置を利用したアプリケーションは様々なものが期待されているが
、特に携帯機器への利用が注目されている。現在、基板にはガラスや石英等が主に使用さ
れているが、このような表示装置は厚く、重く、割れ易いといいう欠点があり、薄型、軽
量、且つ、割れにくいといった特徴に対する要求が高い携帯機器の場合には特に不利であ
る。また、ガラスや石英等は一般に大型化が困難であり、大量生産を行う場合には特に不
利である。そのため、可曲性や可撓性、もしくは弾性を有する基板、代表的にはフレキシ
ブルなプラスチックフィルムあるいはシートの上にＴＦＴ素子を形成することが試みられ
ている。
【０００５】
しかしながら、プラスチックは耐熱性が低く、素子作製プロセスの最高温度を低くせざ
るを得ない。そのため、プラスチック上に形成したＴＦＴの電気特性は、ガラス基板上に
形成したＴＦＴと比較するとどうしても劣ってしまう。従って、プラスチックを用いた高
性能な発光素子や液晶表示装置はまだ実現されていない。
【発明の概要】
【発明が解決しようとする課題】
【０００６】
もし、プラスチック製フィルムやシート等に代表される、可曲性や可撓性、あるいは弾
性を有する基板の上に有機発光素子が形成された発光装置や、液晶表示装置を作製するこ
とができれば、薄型、軽量、割れにくいといった特徴に加えて、曲面を有するディスプレ
イや、ショーウィンドウ等などにも用いることができる。よって、その用途は携帯機器の
みに限定されず、応用範囲は非常に広い。
【０００７】
また、限られた空間、例えば自動車や航空機などの乗物の運転席などに映像や計器のデ
ィスプレイを設置しようとする場合、窓、天井、ドア、ダッシュボードなどが有する様々
な曲面と曲率が一致するように表示装置を最初から作っておけば、平面上のみならず曲面
上にもそのまま取りつけることができる。従来では、ディスプレイは平面であって、乗物
の空間スペースを狭める、或いは、平面ディスプレイをはめこむために壁を切り取り、取
りつけ作業などが複雑なものとなっていた。
【０００８】
本発明は、曲率を有する基材に被剥離層を貼りつけた半導体装置の作製方法を提供する
ことを課題とする。特に、曲率を有するディスプレイ、具体的には曲率を有する基材に貼
りつけられた有機発光素子を有する発光装置、或いは曲率を有する基材に貼りつけられた
液晶表示装置の作製方法の提供を課題とする。
【課題を解決するための手段】
【０００９】
本明細書で開示する作製方法に関する発明の構成は、曲率を有する支持体及び転写体を
形成する第１工程と、前記支持体と比較して剛性の高い基板上に素子を含む被剥離層を形
成する第２工程と、前記素子を含む被剥離層及び前記基板に、曲率を有した前記支持体を
、前記素子を含む被剥離層及び前記基板の表面形状に合致するように外力を加えた状態で
接着する第３工程と、前記支持体が接着された前記素子を含む被剥離層を基板から物理的
手段により剥離する第４工程と、前記素子を含む被剥離層に前記転写体を接着し、前記支
持体と前記転写体との間に前記素子を挟む第５工程とを有する半導体装置の作製方法であ
って、前記素子を含む被剥離層が接着された前記支持体は、前記第４工程終了時点で、第
１工程終了時に有していた形状に完全あるいは部分的に復元することを特徴とする半導体
装置の作製方法である。
【００１０】
尚、本発明において、支持体とは、物理的手段により剥離する際に被剥離層と接着する
ためのものであり、所望の曲率を有していて、かつ弾性つまり外力を加えた場合に元の形
状に戻ろうとする復元力が働くという性質を有していれば特に限定されず、プラスチック
、ガラス、金属、セラミックス等、いかなる組成の基材でもよい。また、本明細書中にお
いて、転写体とは、剥離された後、被剥離層と接着させるものであり、所望の曲率を有し
ていれば特に限定されず、プラスチック、ガラス、金属、セラミックス等、いかなる組成
の基材でもよい。特に軽量化を最優先するのであれば、フィルム状のプラスチック基板、
例えば、ポリエチレンテレフタレート（ＰＥＴ）、ポリエーテルスルホン（ＰＥＳ）、ポ
リエチレンナフタレート（ＰＥＮ）、ポリカーボネート（ＰＣ）、ナイロン、ポリエーテ
ルエーテルケトン（ＰＥＥＫ）、ポリスルホン（ＰＳＦ）、ポリエーテルイミド（ＰＥＩ
）、ポリアリレート（ＰＡＲ）、ポリブチレンテレフタレート（ＰＢＴ）等が好ましい。
【００１１】
また、上記構成において、前記支持体の第１工程終了時の曲率半径をＲｉ、第３工程終
了時の曲率半径をＲｍ、第４工程終了時の曲率半径をＲｆとすると、Ｒｉ≦Ｒｆ≦Ｒｍで
あることを特徴としている。
【００１２】
また、上記構成において、有機発光素子を有する発光装置を形成する場合、前記支持体
は封止材であって、前記素子は自発光素子であることを特徴としている
【００１３】
また、上記構成において、液晶表示装置を形成する場合、前記支持体は対向基板であっ
て、前記素子は画素電極を有しており、該画素電極と、前記対向基板との間には液晶材料
が充填されていることを特徴としている。
【００１４】
また、上記構成において、前記支持体と前記転写体の少なくとも一方は透明であること
を特徴としている。
【００１５】
また、上記構成において、前記支持体と前記転写体の曲率半径は５０ｃｍ〜２００ｃｍ
の範囲内にあることを特徴としている。
【００１６】
また、上記構成において、剥離方法としては、特に限定されず、被剥離層と基板との間
に分離層を設け、該分離層を薬液（エッチャント）で除去して被剥離層と基板とを分離す
る方法や、被剥離層と基板との間に非晶質シリコン（または多結晶シリコン）からなる分
離層を設け、基板を通過させてレーザー光を照射して非晶質シリコンに含まれる水素を放
出させることにより、空隙を生じさせて被剥離層と基板を分離させる方法などを用いるこ
とが可能である。なお、レーザー光を用いて剥離する場合においては、剥離前に水素が放
出しないように熱処理温度を４１０℃以下として被剥離層に含まれる素子を形成すること
が望ましい。
【００１７】
また、他の剥離方法として、２層間の膜応力を利用して剥離を行う剥離方法を用いても
よい。この剥離方法は、基板上に設けた金属層、好ましくは窒化金属層を設け、さらに前
記窒化金属層に接して酸化層を設け、該酸化層の上に素子を形成し、成膜処理または５０
０℃以上の熱処理を行っても、膜剥がれ（ピーリング）が生じずに、物理的手段で容易に
酸化層の層内または界面において、きれいに分離できるものである。さらに剥離を助長さ
せるため、前記物理的手段により剥離する前に、加熱処理またはレーザー光の照射を行う
処理を行ってもよい。
【００１８】
また、上記各作製方法によって、曲面を有するディスプレイを実現でき、自動車、航空
機、船舶、列車等の乗物に搭載することが可能となる。乗物の内壁、天井などは、なるべ
く空間スペースを広くとり、何らかの理由で人の体がぶつかっても問題にならないよう滑
らかな曲面で構成されている。これらの曲面にＴＦＴ及び有機発光素子を有する表示装置
を計器または照明装置として搭載することも可能となる。尚、このＴＦＴ及び有機発光素
子を有する表示装置の駆動方法は、アクティブマトリクス型とすることが好ましいが、パ
ッシブ型でも構わない。
【００１９】
例えば、乗物の窓を基材として、窓の曲面に合致した曲率を持つ、有機発光素子を有す
る表示装置を、湾曲させることなくそのまま接着することによって、映像や計器の表示を
行うことができる。特に有機発光素子を有する表示装置は非常に薄く軽量なものとするこ
とができ、空間スペースは変化しない。乗物の窓に有機発光素子を有する表示装置を接着
させる場合には、基板や電極や配線を透明なものとすることが望ましく、外光を遮断する
フィルムを設けてもよい。また、表示していない場合には、外の景色が問題なく確認でき
るようにすることが好ましい。
【００２０】
また、乗物の内壁、ドア、シート、または車のダッシュボードに沿って、これらの曲面
に合致した曲率を持つ、有機発光素子を有する表示装置を、湾曲させることなくそのまま
接着することによっても、映像や計器の表示を行うことができる。本発明により作製され
た表示装置を曲面に沿って貼り付けるだけでよいため、取り付け作業は非常に簡単であり
、内壁、ドア、シート、ダッシュボードを部分的に加工したりする必要が特にない。また
、例えば車においては、右ハンドルであれば、左後方に車体の一部（窓ガラスの間の部分
）があるため死角が存在しているが、窓ガラスの間の部分に本発明により作製された表示
装置を貼りつけ、さらに車外に死角方向を撮影できるカメラを取りつけ、互いに接続すれ
ば、運転者が死角を確認することができる。特に有機発光素子を有する表示装置は、液晶
表示装置に比べ動画に強く、視野角が広い表示装置である。
【００２１】
また、乗物の天井を基材とし、天井の曲面に合致した曲率を持つ、有機発光素子を有す
る表示装置を、湾曲させることなくそのまま接着することによって、映像の表示や内部の
照明を行うことができる。また、例えば車において、天井と、各窓ガラスの間の部分に本
発明により作製された表示装置を貼りつけ、さらに車外に各表示装置に対応する外部の景
色を撮影できるカメラを取りつけ、互いに接続すれば、車内にいる人は、車内に居ながら
にしてオープンカーのように外の景色を堪能することができる。また、例えば列車や電車
において天井や側壁に本発明により作製された表示装置を貼りつければ、空間スペースを
狭めることなく広告の表示やテレビ映像を映し出すことができる。特に有機発光素子を有
する表示装置は、液晶表示装置に比べ視野角が広い表示装置である。
【００２２】
上記乗物において、搭載した表示装置の曲面の曲率半径が５０ｃｍ〜２００ｃｍであれば
、ＴＦＴや有機発光素子は問題なく駆動させることができる。
【００２３】
なお、本発明でいう半導体装置とは、半導体特性を利用することで機能しうる装置全般
を指し、電気光学装置、発光装置、半導体回路および電子機器は全て半導体装置である。
【発明の効果】
【００２４】
本発明によって、限られた空間、例えば自動車や航空機に代表される乗物の運転席等に
存在する、様々な曲面を有する部位（窓、天井、ドア、ダッシュボードなど）にディスプ
レイを設置することができる。
【図面の簡単な説明】
【００２５】
【図１】本発明を示す工程図である（実施の形態）。
【図２】プラスチックの成形加工法の一態様を示す図である（実施の形態）。
【図３】有機発光素子を有する半導体装置作製の工程図である（実施例１）。
【図４】液晶を有する半導体装置作製の工程図である（実施例２）。
【図５】本発明を用いて有機発光素子を有する半導体装置を作製する装置図である  （実施例３）
【図６】車の内部、フロントガラス周辺を示す図である（実施例４）。
【図７】車の内部、リアウィンドウ周辺を示す図である（実施例４）。
【図８】被剥離層に含まれるＴＦＴおよび発光素子周辺の断面を示す図である（実施例５）。
【発明を実施するための形態】
【００２６】
以下に本発明の実施の態様について、その代表的な作製手順に基づいて図１、図２を用
いて説明する。
【００２７】
図１（１）に支持体１１１及び転写体１１２を作製する第１工程を示す。これらは用途
に応じて所望の曲率を有するように、特に支持体１１１に関しては弾性を有するように作
製することが重要である。第１工程終了時の支持体１１１の曲率半径をＲｉと定義する。
原料、材質、成形方法等は特に限定されない。厚さに関しても特に限定されない。典型的
には１００μｍ程度の厚さであればよい。一般的には、膜厚が２００μｍ以下のものはフ
ィルム、２００μｍ以上のものはシートと呼ばれるが、支持体１１１及び転写体１１２は
フィルムでもシートでもよい。支持体１１１に関しては弾性を有する程度に薄ければよい
。ここでは支持体１１１、転写体１１２共プラスチックを用いる。一般的な熱可塑性ある
いは熱硬化性の樹脂を原料として、一般的なプラスチックの成形加工方法、即ち原料を加
熱して流れ易い状態にする可塑化、型を用いて所望の形状にする賦形、冷却あるいは硬化
反応により形状を安定化する固化、といった過程により成形すればよい。例えば、熱硬化
性樹脂を圧縮成形する場合の工程を図２に示す。まず図２（１）のように、金型（下型）
２１１bに、加熱されて流動性が高くなっている状態の熱硬化性樹脂２１２を充填する。
その後図２（２）のように金型（上型）２１１aを使用して矢印の方向から加圧する。こ
の加圧を保持したまま金型２１１a及び２１１bを加熱すれば、ある時点から樹脂の流動性
が低下し硬化に至る。この後、金型２１１a及び２１１bを開いて成形品を得る。
【００２８】
また、支持体１１１や転写体１１２上には種々の機能を持ったコーティング膜（図示し
ない）を単層あるいは複数層積層させることができる。一般的には水や酸素等を遮断する
バリア膜、接着剤の接着性を向上させる下地膜、耐薬品性や物理的強度を高める保護層等
が積層される。例えば、支持体１１１に１００ｎｍ程度の厚さの窒化珪素薄膜をスパッタ
法で成膜することができる。但し、支持体１１１や転写体１１２の少なくとも一方は光透
過率が有限、即ち透明であることが必要である。
【００２９】
図１（２）に基板１２２上に被剥離層１２１を作製する第２工程を示す。被剥離層はＴ
ＦＴを代表とする様々な素子（薄膜ダイオード、シリコンのＰＩＮ接合からなる光電変換
素子やシリコン抵抗素子など）や有機発光素子等から構成され、一般に電極、配線、絶縁
膜等を含む。基板１２２の剛性は支持体１１１に比べて高いとする。図１（２）では簡単
のため、基板１２２は完全に被剥離層１２１に覆われているように描かれているが、一部
基板１２２が剥き出しになっていても問題ない。
【００３０】
図１（３）に基板１２２および被剥離層１２１上に支持体１１１を接着する第３工程を
示す。まず支持体１１１に外力を加え、基板１２２および被剥離層１２１の表面形状に合
った形にする。例えば、元々図１（１）のように曲がった支持体１１１を図１（３）のよ
うに真っ直ぐに引っ張った状態にして接着すればよい。接着後、支持体１１１には最初の
形状に戻ろうとする復元力が働いているが、接着されている基板１２２の方が剛性が高い
ため、この段階では支持体１１１は真っ直ぐ引っ張られた状態を維持している。即ち、第
３工程終了時の支持体１１１の曲率半径をＲｍと定義すると、支持体１１１のカーブは第
1工程終了時に比べ一般に緩やかになるため、一般にＲｉ≦Ｒｍである。接着方式として
は支持体１１１と被剥離層１２１あるいは支持体１１１と基板１２２が密着していること
が好ましいが、内部に有限の空間を有していてもよい。
【００３１】
接着剤（図示しない）及びその塗布方法の種類は特に限定されない。即ち、反応硬化型
、熱硬化型、光硬化型、嫌気型等の接着剤を、スクリーン印刷、ディスペンサによる描画
、スプレーによる吐出等の手法で塗布すればよい。ここでは光硬化型の一種である紫外線
硬化性接着剤をディスペンサで塗布する。支持体１１１側、もしくは被剥離層１２１側に
接着剤を塗布した後、紫外線を照射することにより接着剤を硬化する。一般に被剥離層１
２１には紫外線が照射されると損傷を受ける部分があるため、その場所を隠す適当な遮光
マスクを使用するか、あるいは接着剤のみを硬化させその他の場所には損傷を与えないよ
うな選択的なエネルギーを持つ紫外線を照射してやることによって損傷を回避すればよい
。
【００３２】
図１（４）に被剥離層１２１を基板１２２から剥離する第４工程を示す。剥離方法は特
に限定されない。ここでは、熱処理温度や基板の種類に制約を受けない剥離方法である、
金属層または窒化物層と酸化物層との膜応力を利用した剥離方法を用いる。まず、図１（
２）の状態を得る前に、基板１２２上に窒化物層または金属層（図示しない）を形成する
。窒化物層または金属層として代表的な一例はＴｉ、Ｗ、Ａｌ、Ｔａ、Ｍｏ、Ｃｕ、Ｃｒ
、Ｎｄ、Ｆｅ、Ｎｉ、Ｃｏ、Ｒｕ、Ｒｈ、Ｐｄ、Ｏｓ、Ｉｒ、Ｐｔから選ばれた元素、ま
たは前記元素を主成分とする合金材料若しくは化合物材料からなる単層、またはこれらの
積層、或いは、これらの窒化物、例えば、窒化チタン、窒化タングステン、窒化タンタル
、窒化モリブデンからなる単層、またはこれらの積層を用いればよい。次いで、窒化物層
または金属層上に酸化物層（図示しない）を形成する。酸化物層として代表的な一例は酸
化シリコン、酸化窒化シリコン、酸化金属材料を用いればよい。なお、酸化物層は、スパ
ッタ法、プラズマＣＶＤ法、塗布法等の方法で成膜すればよい。窒化物層または金属層、
及び酸化物層、両層の膜厚を１ｎｍ〜１０００ｎｍの範囲で適宜設定することによって、
両層の膜応力を互いに異ならせることが可能である。また、基板１２２と窒化物層または
金属層との間に絶縁層や金属層を設け、基板１２２との密着性を向上させてもよい。次い
で、酸化物層上に半導体層を形成し、被剥離層１２１を得ればよい。なお、上記剥離方法
は、酸化物層の膜応力と、窒化物層または金属層の膜応力が互いに異なっていても、被剥
離層の作製工程における熱処理によって膜剥がれなどが生じない。また、上記剥離方法は
、酸化物層の膜応力と、窒化物層または金属層の膜応力が互いに異なっているため、比較
的小さな力で引き剥がすことができる。尚、被剥離層１２１を引き剥がす際にクラックが
生じないようにすることも重要である。
【００３３】
以上のようにして、酸化物層上に形成された被剥離層１２１を基板１２２から分離する
ことができる。重要な点は、この段階で支持体１１１が復元力によって第１工程終了時に
元々持っていた形状に戻ることである。それに伴い、支持体１１１下に接着されている被
剥離層１２１も支持体１１１に沿って湾曲する。第４工程終了時の支持体１１１の曲率半
径をＲｆと定義すると、第1工程終了時の形状に戻るのであるから支持体１１１のカーブ
は第３工程終了時に比べ急になる、即ちＲｆ≦Ｒｍとなる。一方、支持体１１１は一般に
完全弾性でないことに加え、被剥離層１２１が接着されていることから、第1工程終了時
に比べると一般にカーブは緩やかになる、即ちＲｉ≦Ｒｆとなる。従って、一般にＲｉ≦
Ｒｆ≦Ｒｍとなる。
【００３４】
図１（５）に転写体１１２を被剥離層１２１に接着する工程を示す。転写体１１２の形
状、厚さに関しては、支持体１１１の形状、厚さ及び被剥離層１２１の厚さを考慮して、
図１（４）で湾曲した被剥離層１２１の表面形状に合致するように作製しておけば、特に
限定されないが、支持体１１１と同様に弾性を有していることが好ましい。
【００３５】
尚、図１（２）で支持体１１１の接着方向は特に限定されない。但し、被剥離層１２１
中に複数個のＴＦＴが設けられている場合、これらＴＦＴのチャネル長方向を全て同一方
向に配置し、かつこのチャネル長方向と支持体１１１が図１（１）の状態で曲率を有して
いない方向とが平行になるように接着すれば、より好ましい。なぜならば、図１（４）で
基板１２２を剥離した後、被剥離層１２１が接着された支持体１１１が復元力によって元
の形状に回復した時に被剥離層１２１中のＴＦＴが受ける影響を最小限に抑えることが可
能なためである。
【００３６】
液晶表示装置を作製する場合は、支持体を対向基板とし、シール材を接着剤として用い
て支持体を被剥離層に接着すればよい。この場合、被剥離層に設けられた素子は画素電極
を有しており、該画素電極と、前記対向基板との間には液晶材料が充填されるようにする
。
【００３７】
また、有機発光素子を有する装置として代表される発光装置を作製する場合は、支持体
を封止材として、外部から水や酸素といった有機化合物層の劣化を促す物質が侵入するこ
とを防ぐように発光素子を外部から完全に遮断することが好ましい。また、有機発光素子
を有する装置として代表される発光装置を作製する場合は、支持体だけでなく、転写体も
同様、十分に外部から水や酸素といった有機化合物層の劣化を促す物質が侵入することを
防ぐことが好ましい。また、水や酸素の透過による劣化を抑えることを重要視するなら、
剥離後に被剥離層に接する薄膜を成膜することによって、剥離の際に生じるクラックを修
復し、被剥離層に接する薄膜として熱伝導性を有する膜、具体的にはアルミニウムの窒化
物またはアルミニウムの窒化酸化物を用いることによって、素子の発熱を拡散させて素子
の劣化を抑える効果とともに、転写体、具体的にはプラスチック基板の変形や変質を保護
する効果を得ることができる。また、この熱伝導性を有する膜は、外部からの水や酸素等
の不純物の混入を防ぐ効果も有する。
【００３８】
以上の構成でなる本発明について、以下に示す実施例でもってさらに詳細な説明を行う
こととする。
【実施例１】
【００３９】
本実施例では、有機発光素子（ＯＬＥＤ：Organic Light Emitting Diodes）
を有する発光装置を作製する手順を図３に示す。
【００４０】
図３（１）に示すように、基板３１１上に第１の材料層３１２を形成する。第１の材料
層３１２としては、成膜直後において圧縮応力を有していても引張応力を有していてもよ
いが、被剥離層形成における熱処理やレーザー光の照射によりピーリング等の異常が生じ
ず、且つ、被剥離層形成後で１〜１×１０10（Dyne/cm2）の範囲で引張応力を有する材料
を用いることが重要である。典型的には、窒化物あるいは金属が好ましく、代表的な一例
はＷ、ＷＮ、ＴｉＮ、ＴｉＷから選ばれた元素、または前記元素を主成分とする合金材料
若しくは化合物材料からなる単層、またはこれらの積層が挙げられる。なお、第１の材料
層３１２は、スパッタ法を用いればよい。
【００４１】
基板３１１として、ガラス、石英、セラミック等を用いることができる。また、シリコ
ンを代表とする半導体基板、またはステンレスを代表とする金属基板を用いてもよい。こ
こでは厚さ０．７ｍｍのガラス基板（♯１７３７）を用いる。
【００４２】
次いで、第１の材料層３１２上に第２の材料層３１３を形成する。第２の材料層３１３
としては、被剥離層形成における熱処理やレーザー光の照射によりピーリング等の異常が
生じず、且つ、被剥離層形成後で１〜１×１０10（Dyne/cm2）
の範囲で圧縮応力を有する材料を用いることが重要である。第２の材料層３１３としては
酸化物が好ましく、代表的な一例は酸化シリコン、酸化窒化シリコン、酸化金属材料、ま
たはこれらの積層が挙げられる。なお、第２の材料層３１３は、スパッタ法を用いて成膜
すればよい。第２の材料層３１３をスパッタ法で成膜する場合、アルゴンガスで代表され
る希ガスをチャンバー内に導入して、第２の材料層３１３中に微量の希ガス元素を含ませ
る。
【００４３】
第１の材料層３１２と第２の材料層３１３において、各々の膜厚は、１ｎｍ〜１０００
ｎｍの範囲で適宜設定し、第１の材料層３１２における内部応力および第２の材料層３１
３における内部応力を調節すればよい。
【００４４】
また、図３では、プロセスの簡略化を図るため、基板３１１に接して第１の材料層３１２
を形成した例を示したが、基板３１１と第１の材料層３１２との間にバッファ層となる絶
縁層や金属層を設け、基板３１１との密着性を向上させてもよい。
【００４５】
次いで、第２の材料層３１３上にＴＦＴを含む被剥離層３１４aを形成する。
被剥離層３１４aは画素部ＴＦＴ（ｎチャネル型ＴＦＴ及びｐチャネル型ＴＦＴ）、画素
部の周辺に設ける駆動回路ＴＦＴ（ｎチャネル型ＴＦＴ及びｐチャネル型ＴＦＴ）、及び
配線等を含む。次いで、各ＴＦＴを覆う絶縁膜を形成した後、画素部に設けられたＴＦＴ
と電気的に接続する陰極または陽極を形成する。次いで、陰極または陽極の端部を覆うよ
うに両端にバンクとよばれる絶縁物を形成する。また、必要であれば適宜、ＴＦＴを覆っ
て窒化膜からなるパッシベーション膜（保護膜）を形成してもよい。また、被剥離層３１
４aの形成プロセスとして、基板３１１の耐え得る範囲の熱処理を行うことができる。な
お、第２の材料層３１３における内部応力と、第１の材料層３１２における内部応力が異
なっていても、被剥離層３１４aの作製工程における熱処理によって膜剥がれなどが生じ
ない。
【００４６】
次いで、ＴＦＴを含む被剥離層３１４a上に有機発光素子を含む被剥離層３１４bを形成
する。即ち、両端がバンクで覆われている陰極または陽極上にＥＬ層（有機化合物材料層
）を形成する。ＥＬ層の下層を陰極とした場合にはＥＬ層上に陽極を、ＥＬ層の下層を陽
極とした場合にはＥＬ層上に陰極を、それぞれ設ければよい。
【００４７】
ＥＬ層としては、電子、正孔両キャリアの注入、移動、再結合を行わせるための層、す
なわち発光層、キャリア輸送層、キャリア注入層等を自由に組み合わせる。有機ＥＬ材料
としては、低分子系、高分子系および両者を併用したものを用いることができる。また、
ＥＬ層として一重項励起状態あるいは三重項励起状態からの発光（前者は一般に蛍光、後
者は一般に燐光）が得られるような発光材料からなる薄膜を用いることができる。成膜法
は低分子系材料では真空蒸着法、エレクトロンビーム（ＥＢ）蒸着法等の乾式法が、高分
子系材料ではスピンコート法、インクジェット印刷法等の湿式法が、それぞれ一般的であ
る。また、キャリア輸送層やキャリア注入層として炭化珪素等の無機材料を用いることも
可能である。これらの有機ＥＬ材料や無機材料は公知の材料を用いることができる。なお
、ＥＬ層は合計しても１００nm程度の薄膜層として形成する。そのため、陰極または陽極
として形成する表面は平坦性を高めておく必要がある。
【００４８】
また、陰極に用いる材料としては仕事関数の小さい金属（アルカリ金属やアルカリ土類
金属）や、これらを含む合金を用いることが好ましい。例えば、アルカリ金属の一つであ
るＬｉ（リチウム）を微量含むアルミニウム合金（ＡｌＬｉ合金）を陰極に使用した有機
発光素子では、一般に発光特性が良好で、かつ長時間点灯を行っても輝度の低下が小さい
。あるいは、アルカリ金属の酸化物、フッ化物、及びアルカリ土類金属の酸化物、フッ化
物の極薄膜（１ｎｍ程度）の上に、仕事関数のそれ程小さくない単体金属（Ａｌなど）を
積層しても同様に良好な素子特性が得られる。例えば陰極として、ＡｌＬｉ合金の代わり
に、ＬｉＦの極薄膜の上にＡｌを積層した構造を用いても同様の特性を得ることができる
。
【００４９】
また、陽極に用いる導電膜としては、陰極を形成する材料よりも仕事関数の大きい材料
を用いる。特に透明な導電膜としては、酸化スズ（ＳｎＯ2）系、酸化亜鉛（ＺｎＯ）系
、酸化インジウム（Ｉｎ2Ｏ3）系の材料、代表的にはＩＴＯ（酸化インジウム酸化スズ合
金）、ＩＺＯ（酸化インジウム酸化亜鉛合金）等が広く用いられている。また、ＩＴＯよ
りもシート抵抗の低い材料、具体的には白金（Ｐｔ）、クロム（Ｃｒ）、タングステン（
Ｗ）、もしくはニッケル(Ｎｉ)といった材料を用いることもできる。
【００５０】
以上の工程で、有機発光素子を含む層３１４bと、該有機発光素子と接続するＴＦＴを
含む層３１４ａとが積層された被剥離層が形成される。尚、有機発光素子に流れる電流を
ＴＦＴで制御する場合、大きく分けて２通りの方法がある。具体的には、飽和領域と呼ば
れる電圧範囲で電流を制御する方法と、飽和領域に達するまでの電圧範囲で電流を制御す
る方法とがある。本明細書では、Ｖｄ−Ｉｄ曲線において、電流値がほぼ一定となるＶｄ
の範囲を飽和領域と呼んでいる。本発明は有機発光素子の駆動方法に限定されず、任意の
駆動方法を用いることができる。
【００５１】
次いで、第１の材料層３１２と第２の材料層３１３との密着性を部分的に低下させる処
理を行う。密着性を部分的に低下させる処理は、剥離しようとする領域の周縁に沿って前
記第２の材料層または前記第１の材料層にレーザー光を部分的に照射する処理、或いは、
剥離しようとする領域の周縁に沿って外部から局所的に圧力を加えて前記第２の材料層の
層内または界面の一部分に損傷を与える処理である。具体的にはダイヤモンドペンなどで
硬い針を垂直に押しつけて荷重をかけて動かせばよい。好ましくは、スクライバー装置を
用い、押し込み量を０．１ｍｍ〜２ｍｍとし、圧力をかけて刃を動かせばよい。このよう
に、剥離を行う前に剥離現象が生じやすくなるような部分、即ち、きっかけをつくること
が重要であり、密着性を選択的（部分的）に低下させる前処理を行うことで、剥離不良が
なくなり、さらに歩留まりも向上する。
【００５２】
次いで、図３（２）に示すように、被剥離層３１４ａに設けられたＴＦＴと接続する引
き出し配線の端部に設けられた端子電極にフレキシブルプリント基板（ＦＰＣ：Flexible
Printed Circuit）３２１を貼りつける。
【００５３】
次いで、第１の接着剤３２２で支持体３２３と被剥離層３１４ａ、３１４ｂとを接着す
る。元々曲率及び弾性を有している支持体３２３に外力を加えた状態で接着することにな
る。接着後、支持体３２３には復元力が働くが、基板３１１の方が剛性が高いため、この
段階では支持体は元の形状には戻らない。有機発光素子の場合、支持体３２３は一般に封
止材であり、主に外部からの水や酸素の侵入によるＥＬ層及び陽極、陰極等の劣化を抑え
る機能を持つ。
【００５４】
第１の接着剤３２２としては、反応硬化型、熱硬化型、光硬化型、嫌気型等の種類が挙
げられる。これらの接着剤の組成としては、例えば、エポキシ系、アクリレート系、シリ
コーン系等いかなるものでもよい。ただし、有機発光素子は水や酸素に弱いため、水や酸
素に対してバリア性の高い材料であることが望ましい。このような接着剤の形成は、例え
ば、塗布法によってなされる。また、接着剤は支持体側、あるいは被剥離層３１４ａ、３
１４ｂ側のどちらに塗布してもよい。本実施例では第１の接着剤３２２として紫外線硬化
型接着剤を用いる。この場合、紫外線を照射することにより第１の接着剤３２２を硬化す
る。紫外線を照射する方向は有機発光素子の構成、作製方法及び画素の回路構成等によっ
て実施者が適宜決定することができる、即ち基板３１１から照射しても、支持体３２３か
ら照射してもよい。しかし、ＥＬ層等は一般に紫外線照射により損傷を受けるため、紫外
線を照射したくない場所を隠す遮光マスクを使用するか、あるいは紫外線のエネルギーを
調節することで接着剤のみを硬化させ他の部分には損傷を与えないようにする必要がある
。
【００５５】
次いで、上記密着性を部分的に低下させた領域側から剥離させ、図３（３）中の矢印の
方向に向かって、第１の材料層３１２が設けられている基板３１１を物理的手段により引
き剥がす。第２の材料層３１３が圧縮応力を有し、第１の材料層３１２が引張応力を有す
るため、比較的小さな力（例えば、人間の手、ノズルから吹付けられるガスの風圧、超音
波等）で引き剥がすことができる。
【００５６】
こうして、第２の材料層３１３上に形成された被剥離層３１４ａ、３１４ｂを基板３１
１から分離することができる。この段階で、支持体３２３は復元力によって元の形状に戻
り、それに伴って支持体３２３に接着されている各層も湾曲する（図３（４））。
【００５７】
次いで、図３（５）に示すように、第２の接着剤３５２で転写体３５１と第２の材料層
３１３（及び被剥離層３１４ａ、３１４ｂ）とを接着する。
【００５８】
第２の接着剤３５２としては、反応硬化型、熱硬化型、光硬化型、嫌気型等の各種接着
剤を用いる。本実施例では第２の接着剤３５２として紫外線硬化型接着剤を用いる。紫外
線を照射する方向は有機発光素子の構成、作製方法及び画素の回路構成等によって実施者
が適宜決定することができる、即ち転写体３５１から照射しても、支持体３２３から照射
してもよい。但し、第１の接着剤３２２の場合と同様、紫外線を照射したくない場所を隠
す遮光マスクを使用するか、あるいは紫外線のエネルギーを調節することで接着剤のみを
硬化させ他の部分には損傷を与えないようにする必要がある。
【００５９】
以上の工程で第２の接着剤３５２及び転写体３５１上に被剥離層３１４ａ、３１４ｂを
備えた発光装置を作製することができる。このような発光装置は外力を加えない状態で５
０ｃｍ〜２００ｃｍの曲率を有していることが特徴である。尚、第２の接着剤３５２と被
剥離層３１４ａとの間には第２の材料層である酸化物層３１３がある。こうして得られる
発光装置は、第２の材料層３１３がスパッタ法で成膜され、第２の材料層３１３中に微量
の希ガス元素を含ませており、装置全体としてフレキシブルにすることもできる。
【００６０】
また、有機発光素子からの発光は支持体３２３側、あるいは転写体３５１側の双方から
取り出すことが可能である。支持体３２３側からのみ発光を取り出す場合を上面出射ある
いは上方出射（top emissionという言い方もなされる）、転写体３５２側からのみ発光を
取り出す場合を下面出射あるいは下方出射、支持体３２３及び転写体３５２の両側から発
光を取り出す場合を両面出射あるいは両方出射と呼ぶ。いずれにせよ、有機発光素子の発
光を外へ取り出すためには、支持体３２３及び転写体３５２のいずれか一方は透明である
必要がある。発光方向は、有機発光素子の構成、作製方法及び画素の回路構成等によって
実施者が適宜決定することができる。
【実施例２】
【００６１】
本実施例では、液晶表示装置を作製する手順を図４に示す。
【００６２】
図４（１）に示すように、基板４１１上に第１の材料層４１２を形成する。第１の材料
層４１２としては、成膜直後において圧縮応力を有していても引張応力を有していてもよ
いが、被剥離層形成における熱処理やレーザー光の照射によりピーリング等の異常が生じ
ず、且つ、被剥離層形成後で１〜１×１０10（Dyne/cm2）の範囲で引張応力を有する材料
を用いることが重要である。典型的には、窒化物あるいは金属が好ましく、代表的な一例
はＷ、ＷＮ、ＴｉＮ、ＴｉＷから選ばれた元素、または前記元素を主成分とする合金材料
若しくは化合物材料からなる単層、またはこれらの積層が挙げられる。なお、第１の材料
層４１２は、スパッタ法を用いればよい。
【００６３】
基板４１１として、ガラス、石英、セラミック等を用いることができる。また、シリコ
ンを代表とする半導体基板、またはステンレスを代表とする金属基板を用いてもよい。こ
こでは厚さ０．７ｍｍのガラス基板（♯１７３７）を用いる。
【００６４】
次いで、第１の材料層４１２上に第２の材料層４１３を形成する。第２の材料層４１３
としては、被剥離層形成における熱処理やレーザー光の照射によりピーリング等の異常が
生じず、且つ、被剥離層形成後で１〜１×１０10（Dyne/cm2）
の範囲で圧縮応力を有する材料を用いることが重要である。第２の材料層４１３としては
酸化物が好ましく、代表的な一例は酸化シリコン、酸化窒化シリコン、酸化金属材料、ま
たはこれらの積層が挙げられる。なお、第２の材料層４１３は、スパッタ法を用いて成膜
すればよい。第２の材料層４１３をスパッタ法で成膜する場合、アルゴンガスで代表され
る希ガスをチャンバー内に導入して、第２の材料層４１３中に微量の希ガス元素を含ませ
る。
【００６５】
第１の材料層４１２と第２の材料層４１３において、各々の膜厚は、１ｎｍ〜１０００
ｎｍの範囲で適宜設定し、第１の材料層４１２における内部応力および第２の材料層４１
３における内部応力を調節すればよい。
【００６６】
また、図４では、プロセスの簡略化を図るため、基板４１１に接して第１の材料層４１
２を形成した例を示したが、基板４１１と第１の材料層４１２との間にバッファ層となる
絶縁層や金属層を設け、基板４１１との密着性を向上させてもよい。
【００６７】
次いで、第２の材料層４１３上に被剥離層４１４を形成する。被剥離層４１４aは画素
部ＴＦＴ（ｎチャネル型ＴＦＴ）、画素電極、保持容量、画素部の周辺に設ける駆動回路
ＴＦＴ（ｎチャネル型ＴＦＴ及びｐチャネル型ＴＦＴ）、及び配線等を含む。本実施例で
は、外光のみを利用して発光を得る反射型液晶表示装置を考える。この場合、画素電極と
して光反射率の高い金属、例えばアルミニウムや銀等を用いればよい。尚、第２の材料層
４１３における内部応力と、第１の材料層４１２における内部応力が異なっていても、被
剥離層４１４の作製工程における熱処理によって膜剥がれなどが生じない。
【００６８】
次いで、被剥離層４１４上画素部に配向膜を形成し、一方向へラビング処理する。これ
により、後に注入する液晶の分子の向きを一方向へ揃えることができる。次いで、柱状あ
るいは球状のスペーサ４１５をパターニングあるいは散布により形成する。これにより、
後に注入する液晶の層の厚さを制御できる。
【００６９】
次いで、第１の材料層４１２と第２の材料層４１４との密着性を部分的に低下させる処
理を行う。密着性を部分的に低下させる処理は、剥離しようとする領域の周縁に沿って前
記第２の材料層または前記第１の材料層にレーザー光を部分的に照射する処理、或いは、
剥離しようとする領域の周縁に沿って外部から局所的に圧力を加えて前記第２の材料層の
層内または界面の一部分に損傷を与える処理である。具体的にはダイヤモンドペンなどで
硬い針を垂直に押しつけて荷重をかけて動かせばよい。好ましくは、スクライバー装置を
用い、押し込み量を０．１ｍｍ〜２ｍｍとし、圧力をかけて動かせばよい。このように、
剥離を行う前に剥離現象が生じやすくなるような部分、即ち、きっかけをつくることが重
要であり、密着性を選択的（部分的）に低下させる前処理を行うことで、剥離不良がなく
なり、さらに歩留まりも向上する。
【００７０】
次いで、図４（２）に示すように、被剥離層４１４に設けられたＴＦＴと接続する引き
出し配線の端部に設けられた端子電極にＦＰＣ４２１を貼りつける。
【００７１】
次いで、シール剤４２２a、４２２bで支持体４２３と基板４１１（正確には酸化物層４
１３）とを接着する。但し、後に液晶を注入するために、４２２aのように液晶注入口を
設ける。元々曲率及び弾性を有している支持体４２４に外力を加えた状態で接着すること
になる。接着後、支持体４２４には復元力が働くが、基板４１１の方が剛性が高いため、
この段階では元の形状には戻らない。スペーサ４１５の存在によって、支持体４２３と基
板４１１との間隔は保持される。液晶表示装置の場合、支持体４２４は一般に対向基板で
あり、カラーフィルタ、偏光板、共通電極、配向膜等（図示しない）があらかじめ形成さ
れているものとする。反射型液晶表示装置の場合、共通電極には透明導電膜（ＩＴＯやＩ
ＺＯ等）
を用いればよい。
【００７２】
シール剤４２２a、４２２bとしては、反応硬化型、熱硬化型、光硬化型、嫌気型等の種
類が挙げられる。これらのシール剤の組成としては、例えば、エポキシ系、アクリレート
系、シリコーン系等いかなるものでもよい。このようなシール剤の形成は、例えば、塗布
法によってなされる。また、シール剤は支持体４２３側、あるいは基板４１１側のどちら
に塗布してもよい。本実施例ではシール剤４２２として紫外線硬化型シール剤を用いる。
この場合、紫外線を照射することによりシール剤４２２を硬化する。紫外線を照射する方
向は支持体４２３側あるいは基板４１１側から照射すればよい。しかし、紫外線により損
傷を受ける場所には遮光マスクを使用するか、あるいは紫外線のエネルギーを調節するこ
とでシール剤のみを硬化させ他の部分には損傷を与えないようにする必要がある。
【００７３】
この後、液晶注入口より液晶４２４を注入後、液晶注入口を封止剤（図示せず）で完全
に封止する。封止剤の組成としては、例えば、エポキシ系、アクリレート系、シリコーン
系等いかなるものでもよい。
【００７４】
次いで、上記密着性を部分的に低下させた領域側から剥離させ、図４（３）中の矢印の
方向に向かって、第１の材料層４１２が設けられている基板４１１を物理的手段により引
き剥がす。第２の材料層４１４が圧縮応力を有し、第１の材料層４１２が引張応力を有す
るため、比較的小さな力（例えば、人間の手、ノズルから吹付けられるガスの風圧、超音
波等）で引き剥がすことができる。
【００７５】
こうして、第２の材料層４１３上に形成された被剥離層４１４を基板４１１から分離す
ることができる。この段階で、支持体４２３は復元力によって元の形状に戻り、それに伴
って支持体４２３に接着されている各層も湾曲する（図４（４））。
【００７６】
次いで、図４（５）に示すように、接着剤４５２で転写体４５１と第２の材料層４１３
とを接着する。接着剤４５２としては、反応硬化型、熱硬化型、光硬化型、嫌気型等の各
種接着剤を用いる。本実施例では接着剤４５２として紫外線硬化型接着剤を用いる。紫外
線は転写体４５１側あるいは支持体４２３側から照射すればよい。但し、紫外線を照射し
たくない場所には遮光マスクを使用するか、あるいは紫外線のエネルギーを調節すること
で接着剤のみを硬化させ他の部分には損傷を与えないようにする必要がある。
【００７７】
以上の工程で第２の接着剤４５２及び転写体４５１上に被剥離層４１４を備えた液晶表
示装置を作製することができる。このような半導体装置は外力を加えない状態で５０ｃｍ
〜２００ｃｍの曲率を有していることが特徴である。尚、接着剤４５２と被剥離層４１４
との間には第２の材料層である酸化物層４１３がある。こうして得られる液晶表示装置は
、第２の材料層４１３がスパッタ法で成膜され、第２の材料層４１３中に微量の希ガス元
素を含ませており、装置全体としてフレキシブルにすることもできる。
【００７８】
また、本実施例では反射型液晶表示装置を考えているので、発光は支持体４２３側から
得られる。そのためには、支持体４２３は透明である必要がある。
【実施例３】
【００７９】
本実施例では、有機発光素子を有する発光装置を作製する装置を図５に示す。
尚、本実施例で示す装置によって、実施例１で示した発光装置を作製することができる。
【００８０】
図５は有機発光素子の発光層（ＥＬ層）を低分子有機化合物の乾式法により成膜する装
置である。この製造装置は、主に基板を搬送する搬送室、受渡を行う受渡室、各種薄膜を
作製する成膜室、封止を行う封止室から構成されている。各室には必要な真空度を達成す
るための排気装置、あるいはＮ2等のガス雰囲気を生成するための装置が装備されており
、また各室間はゲートバルブ等で接続されている。基板搬送は搬送ロボットによって行わ
れる。
【００８１】
最初に、受渡室５００に有機発光素子作製に必要な基板５０１ｃ（画素部、駆動回路部
、配線、電極、保護膜等があらかじめ作り込まれているものとする）を外部から導入する
。典型的には、画素部、駆動回路部にはＴＦＴが用いられる。
【００８２】
受渡室５００に導入された基板５０１ｃは、搬送ロボット５０１ｂによって搬送室５０
１a内に運ばれ、更に前処理室５０２に搬送される。典型的には、前処理室５０２で基板
５０１ｃに対して加熱、あるいはＯ2プラズマ処理などの前処理が行われる。この前処理
は有機発光素子の諸特性向上を目的としている。
【００８３】
前処理が終了した基板は、受渡室５０３を経由して、搬送室５０４へ運ばれる。搬送室
５０４にも搬送ロボットが搭載されており、搬送室５０４に接続されている各部屋へ基板
を搬送する役割を果たす。搬送室５０４には有機層形成を目的とした成膜室が接続されて
いる。フルカラー表示の有機発光素子を有する表示装置を作ることを念頭に置いて、Ｒ、
Ｇ、Ｂ各色の発光層を形成するための成膜室５０６Ｒ、５０６Ｇ、５０６Ｂが、さらに各
色に共通な層、即ちキャリア輸送層やキャリア注入層等を作製するための成膜室５０５が
設置されている。これらの成膜室では一般に真空蒸着法が用いられる。フルカラー発光を
得るためには、Ｒ、Ｇ、Ｂ各色の発光を示す発光層がストライプ状、モザイク状、あるい
はデルタ状に配列するように、塗り分け用のシャドウマスクを使用して蒸着を行えばよい
。
【００８４】
有機層の成膜が終了した基板は、受渡室５０７を経由して、搬送室５０８へ運ばれる。
搬送室５０８にも搬送ロボットが搭載されており、搬送室５０８に接続されている各部屋
へ基板を搬送する役割を果たす。搬送室５０８には裏面電極形成や保護膜等形成を目的と
した成膜室が接続されている。成膜室５０９や５１０では、真空蒸着法やＥＢ法で電極と
なる金属（例としてＡｌＬｉ合金やＭｇＡｇ合金等）が成膜される。成膜室５１１では、
基板上面から発光を得る場合に必要な透明導電膜（例としてＩＴＯやＩＺＯ等）が、一般
にスパッタ法あるいは化学気相成長（ＣＶＤ：Chemical Vapor Deposition）法で成膜さ
れる。成膜室５１２では、表面を保護するためのパッシベーション膜（例としてＳｉＮ、
ＳｉＯｘ膜等）が、一般にスパッタ法あるいはＣＶＤ法で成膜される。
【００８５】
成膜が終了した基板は、受渡室５１３を経由して、搬送室５１４へ運ばれる。搬送室５１
４には封止を行うために必要な部屋が複数接続されている。搬送室５１４にも搬送ロボッ
トが搭載されており、搬送室５１４に接続されている各部屋へ基板あるいは封止基板を搬
送する役割を果たす。
【００８６】
まず、封止を行うための基板を準備する必要がある。そのための部屋が封止ガラス基板
準備室５１５a、及び封止プラスチック基板準備室５１５bである。
【００８７】
封止ガラス基板準備室５１５aには、作製した有機発光素子をガラス封止するための対
向ガラスを外部から導入する。必要ならば、有機発光素子を水から防ぐ乾燥剤を対向ガラ
スに導入することができる。例えば、シート状の乾燥剤を、あらかじめザグリ加工が施し
てある対向ガラスのザグリ部分に両面テープ等で貼りつけておけばよい。
【００８８】
一方、封止プラスチック基板準備室５１５bでは、作製した有機発光素子をプラスチッ
ク封止するための準備を行う。外部から目的に合った形状を有するプラスチック（完成品
）を導入してもよいが、本実施例では、封止ガラス基板準備室５１５b内で本発明におけ
る支持体（本実施例ではプラスチック）を作製する。
例えば、図２に示したような材料、方法で曲率及び弾性を有する支持体を作製する。つま
り、金型２１１a、２１１bや熱硬化性樹脂２１２を外部から導入し、加熱、加圧、冷却と
いった成形加工を行う。有機発光素子をプラスチック上に転写する場合には、本発明にお
ける転写体も同様の方法で作製しておけばよい。これらの作業に関しては完全に自動化し
てもよいし、グローブを設置して一部手動で行ってもよい。
【００８９】
準備された封止ガラス基板あるいは封止プラスチック基板はディスペンサ室５１６運ば
れ、後に基板と貼り合わせるための接着剤（図示しない）が塗布される。本実施例では、
接着剤として紫外線硬化型のものを用いる。また、必要ならば、有機発光素子を水から防
ぐ乾燥剤（図示しない）を、封止ガラス基板準備室５１５aにおけるガラス基板導入時で
はなく、ディスペンサ室５１６内で仕込んでもよい。例えば、シート状の乾燥剤を、あら
かじめザグリ加工が施してある対向ガラスのザグリ部分に両面テープ等で貼りつけること
ができる。こうすれば、乾燥剤を大気中で取り扱う必要がなくなる。これらの作業に関し
ては、完全に自動化してもよいし、グローブを設置して一部手動で行ってもよい。特に封
止プラスチック基板が曲率及び弾性を有する場合は、曲がった状態で接着剤を塗布しても
よいし、真っ直ぐ伸ばした状態で塗布してもよい。
【００９０】
成膜を終えた基板、及び接着剤が塗布された封止ガラス基板あるいは封止プラスチック基
板は封止室５１７へ運ばれ、互いに貼り合わせられる。接着時は適当な治具（図示しない
）を用いて加圧する必要がある。曲率及び弾性を有する封止プラスチック基板の場合は真
っ直ぐ伸ばした状態で貼りつければよい。これらの作業に関しては、完全に自動化しても
よいし、グローブを設置して一部手動で行ってもよい。
【００９１】
次いで、封止室５１７で貼り合わせられた基板および封止基板は紫外光照射室５１８へ
運ばれ、接着剤硬化のための紫外線が照射される。
【００９２】
紫外光照射室５１８で接着された基板および封止基板は受渡室５１９から外部に取り出
せばよい。
【００９３】
但し、本発明における装置を作製する場合は、図１（４）（５）に示したように、基板
剥離及び転写体接着の２工程が更に必要となる。即ち、紫外光照射室５１８で紫外線照射
により接着された基板および封止基板（支持体）を、一度封止プラスチック基板準備室５
１５ｂへ戻す。封止プラスチック基板準備室５１５ｂで基板剥離を行う。本実施例では、
剥離方法として、金属層または窒化物層と酸化物層との膜応力を利用した方法を用いる。
一方、支持体の場合と同様に、転写体を封止プラスチック基板準備室５１５ｂからディス
ペンサ室５１６に運び接着剤を塗布しておく。基板が剥離された支持体、及び接着剤が塗
布された転写体を封止室５１７へ運び、互いに貼り合わせる。その後、紫外光照射室５１
８へ運び、再度紫外線照射を行うことによって表示装置が完成する。最後に完成品を受渡
室５１９から外部に取り出せばよい。
【００９４】
また、本実施例は、実施例１と組み合わせることができる。
【実施例４】
【００９５】
本実施例では本発明によって得られた曲率を有するディスプレイを乗物に搭載した例を
示す。ここでは乗物の代表的な例として自動車を用いたが、特に限定されず、本発明は、
スペースシャトル、航空機、列車、電車などに適用できることはいうまでもない。
【００９６】
図６は、自動車の運転席周辺を示す図である。ダッシュボード部には音響再生装置、具
体的にはカーオーディオや、カーナビゲーションが設けられている。カーオーディオの本
体２７０１は、表示部２７０２、操作スイッチ２７０３、２７０４を含む。表示部２７０
２に本発明を実施することによって薄型、且つ、軽量なカーオーディオを完成させること
ができる。また、カーナビゲーションの表示部２８０１に本発明を実施することによって
薄型、且つ、軽量なカーナビゲーション完成させることができる。
【００９７】
また、操作ハンドル部２６０２付近には、ダッシュボード部２６０１にスピードメータ
などの計器のデジタル表示がなされる表示部２６０３が形成される。表示部２７０２に本
発明を実施することによって薄型、且つ、軽量な機械類の表示器を完成させることができ
る。
【００９８】
また、曲面を有するダッシュボード部２６０１に貼りつけられた表示部２６０２を形成
してもよい。表示部２６０２に本発明を実施することによって薄型、且つ、軽量な機械類
の表示器や画像表示装置を完成させることができる。なお、表示部２６０２は、矢印で示
した方向に湾曲している。
【００９９】
また、曲面を有するフロントガラス２６０４に貼りつけられた表示部２６００を形成し
てもよい。表示部２６００に本発明を実施する場合、透過する材料を用いればよく、本発
明によって薄型、且つ、軽量な機械類の表示器や画像表示装置を完成させることができる
。なお、表示部２６００は、矢印で示した方向に湾曲している。ここではフロントガラス
としたが他のウインドウガラスに設けることも可能である。
【０１００】
例えば、曲面を有するリアウインドウ２９００に貼りつけられた表示部２９０２を形成
してもよい。図７は、自動車の後部座席周辺を示す図である。なお、図７は図６と対応し
ており、操作ハンドル部は、同一であるため図６と同じ符号を用いている。
【０１０１】
また、リアウインドウ２９００に本発明のフレキシブルな表示装置を貼りつけ、さらに
車外に後方を撮影できるカメラを取りつけ、互いに接続すれば、運転者は、車体２９０６
が邪魔になって見ることができない場所を見ることができる。
なお、表示部２９０２は、矢印で示した方向に湾曲している。
【０１０２】
また、図７に示すように右ハンドルであれば、左後方に車体２９０６の一部（窓ガラス
の間の部分）があるため死角が存在しているが、窓ガラスの間の部分に本発明の表示装置
（表示部２９０１）を貼りつけ、さらに車外に死角方向を撮影できるカメラを取りつけ、
互いに接続すれば、運転者が死角を確認することができる。なお、表示部２９０１は、矢
印で示した方向に湾曲している。
【０１０３】
また、シート２９０４に表示部２９０５を設けてもよい。後部座席に座った人がテレビ
を見たり、カーナビゲーションの表示を見たりすることができる。
【０１０４】
また、ここでは図示しないが、車の天井を基材とし、天井の曲面に合致した形状を持つ
有機発光素子を有する表示装置を接着することによって、映像の表示や車内の照明を行う
ことができる。
【０１０５】
このように、本発明の曲面を有するディスプレイは、曲率半径が５０ｃｍ〜２００ｃｍ
である曲面を有する車内のいたるところに簡単に搭載することができる。
【０１０６】
また、本実施例では車載用カーオーディオやカーナビゲーションを示すが、その他の乗
物の表示器や、据え置き型のオーディオやナビゲーション装置に用いてもよい。
【０１０７】
また、本実施例は、実施例１及び実施例２と組み合わせることができる。
【実施例５】
【０１０８】
本実施例では、被剥離層に含まれる素子およびその周辺構造を示す。ここでは、アクテ
ィブマトリクス型の表示装置における一つの画素の断面構造、特に発光素子およびＴＦＴ
の接続、画素間に配置する隔壁の形状について説明する。
【０１０９】
図８（Ａ）中、４０は基板、４１は隔壁（土手とも呼ばれる）、４２は絶縁膜、４３は
第１の電極（陽極）、４４は有機化合物を含む層、４５は第２の電極（陰極）、４６はＴ
ＦＴである。
【０１１０】
ＴＦＴ４６において、４６ａはチャネル形成領域、４６ｂ、４６ｃはソース領域または
ドレイン領域、４６ｄはゲート電極、４６ｅ、４６ｆはソース電極またはドレイン電極で
ある。ここではトップゲート型ＴＦＴを示しているが、特に限定されず、逆スタガ型ＴＦ
Ｔであってもよいし、順スタガ型ＴＦＴであってもよい。なお、４６ｆは第１の電極４３
と一部接して重なることによりＴＦＴ４６とを接続する電極である。
【０１１１】
また、図８（Ａ）とは一部異なる断面構造を図８（Ｂ）に示す。
【０１１２】
図８（Ｂ）においては、第１の電極と電極との重なり方が図８（Ａ）の構造と異なってお
り、第１の電極をパターニングした後、電極を一部重なるように形成することでＴＦＴと
接続させている。
【０１１３】
また、図８（Ａ）とは一部異なる断面構造を図８（Ｃ）に示す。
【０１１４】
図８（Ｃ）においては、層間絶縁膜がさらに１層設けられており、第１の電極がコンタク
トホールを介してＴＦＴの電極と接続されている。
【０１１５】
また、隔壁４１の断面形状としては、図８（Ｄ）に示すようにテーパー形状としてもよい
。フォトリソグラフィ法を用いてレジストを露光した後、非感光性の有機樹脂や無機絶縁
膜をエッチングすることによって得られる。
【０１１６】
また、ポジ型の感光性有機樹脂を用いれば、図８（Ｅ）に示すような形状、上端部に曲面
を有する形状とすることができる。
【０１１７】
また、ネガ型の感光性樹脂を用いれば、図８（Ｆ）に示すような形状、上端部および下端
部に曲面を有する形状とすることができる。
【０１１８】
また、本実施例は、実施例１、実施例３、または実施例４のいずれとも組み合わせるこ
とができる。
【実施例６】
【０１１９】
本実施例ではパッシブマトリクス型の発光装置（単純マトリクス型の発光装置とも呼ぶ
）を作製する例を示す。
【０１２０】
まず、基板上にストライプ状に複数の第１配線をＩＴＯなどの材料（陽極となる材料）
で形成する。次いで、レジストまたは感光性樹脂からなる隔壁を発光領域となる領域を囲
んで形成する。次いで、蒸着法またはインクジェット法により、隔壁で囲まれた領域に有
機化合物を含む層を形成する。フルカラー表示とする場合には、適宜、材料を選択して有
機化合物を含む層を形成する。次いで、隔壁および有機化合物を含む層上に、ＩＴＯから
なる複数の第１配線と交差するようにストライプ状の複数の第２配線をＡｌまたはＡｌ合
金などの金属材料（陰極となる材料）で形成する。以上の工程で有機化合物を含む層を発
光層とした発光素子を含む被剥離層を形成することができる。
【０１２１】
次いで、シール材で支持体となる封止基板を貼り付ける、或いは第２配線上に保護膜を
設けて封止する。
【０１２２】
次いで、基板を剥離し、発光素子を含む被剥離層を転写体（例えば、曲面を有するガラ
ス基板）に貼り合わせる。基板を剥離する方法は特に限定されず、実施の形態や実施例１
に示した方法を用いればよい。
【０１２３】
また、フルカラーの表示装置に限らず、単色カラーの発光装置、例えば、面光源、電飾
用装置にも本発明を実施することができる。
【０１２４】
また、本実施例は実施例１、実施例３、実施例４、または実施例５と自由に組みあわせ
ることができる。
【図１】
2020149982.tif 000003
【図２】
2020149982.tif 000004
【図３】
2020149982.tif 000005
【図４】
2020149982.tif 000006
【図５】
2020149982.tif 000007
【図６】
2020149982.tif 000008
【図７】
2020149982.tif 000009
【図８】
2020149982.tif 000010